(57)【特許請求の範囲】
【請求項１】
尿中の成分を検知する尿センサと、
先端側に前記尿センサが取り付けられるアーム部と、
前記尿センサを洗浄水により洗浄する洗浄機構と、を備える尿センサユニットであって、
前記アーム部は、該アーム部の上面に供給された尿及び洗浄水を、該アーム部の先端側に導く主導水部を有する尿センサユニット。
【請求項２】
前記洗浄機構は、前記アーム部の基端側に配置され前記アーム部の基端側から先端側に向かうように前記アーム部の前記主導水部に洗浄水を流出する第１流出部を有する請求項１に記載の尿センサユニット。
【請求項３】
前記洗浄機構は、前記アーム部の基端側に配置され前記アーム部の側面及び／又は底面に洗浄水を流出する第２流出部を有する請求項２に記載の尿センサユニット。
【請求項４】
前記主導水部は、前記アーム部の上面を前記アーム部が延びる方向に沿って延びており、
前記アーム部は、前記主導水部から分岐して前記アーム部の周方向に延びる１又は複数の分岐導水部を有する請求項１から３のいずれかに記載の尿センサユニット。
【請求項５】
前記アーム部は、樹脂製であり、
前記アーム部の表面は、親水性を有する請求項１から４のいずれかに記載の尿センサユニット。
【請求項６】
請求項１から５のいずれかに記載の尿センサユニットと、
便器本体及び該便器本体に取り付けられる便座を有する便器と、を備える便器装置であって、
前記尿センサユニットは、前記尿センサを待機させる待機位置と、前記尿センサを洗浄する洗浄位置と、前記尿センサにより尿中の成分を検知する測定位置と、に移動可能に前記アーム部を駆動する駆動機構を備える便器装置。
【発明の詳細な説明】
【技術分野】
【０００１】
本発明は、尿センサを有する尿センサユニット及びこれを備える便器装置に関する。
【背景技術】
【０００２】
従来、尿中の成分を検知する尿センサと、先端側に尿センサが取り付けられたアーム部と、アーム部を測定位置と待機位置とに移動させる駆動部と、尿センサの上方に配置され尿センサを洗浄する洗浄ノズルと、を有する尿センサユニットと、を備える便器装置が知られている（例えば、特許文献１参照）。
特許文献１に記載の尿センサユニットは、アーム部が測定位置から待機位置に移動する際に、洗浄ノズルの下方を通過する尿センサに洗浄ノズルから洗浄水を流出することで、尿センサを洗浄するように構成されている。
【先行技術文献】
【特許文献】
【０００３】
【特許文献１】特開２００２−１８９０２５号公報
【発明の概要】
【発明が解決しようとする課題】
【０００４】
特許文献１に記載の技術においては、尿センサの洗浄に関して、洗浄ノズルの下方を通過する尿センサに洗浄水を流出するため、尿センサの洗浄に使用する洗浄水の量が多くなったり、尿センサの洗浄に多くの時間を要することがある。そのため、尿センサの洗浄に関して、尿センサを効率よく洗浄することができる尿センサユニットが望まれている。
【０００５】
本発明は、尿センサを効率よく洗浄することができる尿センサユニット及び便器装置を提供することを目的とする。
【課題を解決するための手段】
【０００６】
本発明は、尿中の成分を検知する尿センサ（例えば、後述の尿センサ３０）と、先端（例えば、後述の先端４０ｂ）側に前記尿センサが取り付けられるアーム部（例えば、後述のアーム部４０）と、前記尿センサを洗浄する洗浄機構（例えば、後述の洗浄機構６０）と、を備える尿センサユニット（例えば、後述の尿センサユニット２０）であって、前記アーム部は、該アーム部の上面に供給された水を、該アーム部の先端側に導く主導水部（例えば、後述の主導水部４１）を有する尿センサユニット（例えば、後述の尿センサユニット２０）に関する。
【０００７】
また、前記洗浄機構は、前記アーム部の基端（例えば、後述の基端４０ａ）側に配置され前記アーム部の基端側から先端側に向かうように前記アーム部の前記主導水部に洗浄水を流出する第１流出部（例えば、後述の上部流出部６１）を有することが好ましい。
【０００８】
また、前記洗浄機構は、前記アーム部の基端側に配置され前記アーム部の側面及び／又は底面に洗浄水を流出する第２流出部（例えば、後述の側部流出部６２、底部流出部６３）を有することが好ましい。
【０００９】
また、前記主導水部は、前記アーム部の上面を前記アーム部が延びる方向に沿って延びており、前記アーム部は、前記主導水部から分岐して前記アーム部の周方向に延びる１又は複数の分岐導水部（例えば、後述の分岐導水部４２）を有することが好ましい。
【００１０】
また、前記アーム部は、樹脂製であり、前記アーム部の表面は、親水性を有することが好ましい。
【００１１】
また、前記尿センサユニットと、便器本体（例えば、後述の便器本体１１）及び該便器本体に取り付けられる便座（例えば、後述の便座１２）を有する便器（例えば、後述の便器１０）と、を備える便器装置（例えば、後述の尿センサ付便器装置１）であって、前記尿センサユニットは、前記尿センサを待機させる待機位置と、前記尿センサを洗浄する洗浄位置と、前記尿センサにより尿中の成分を検知する測定位置と、に移動可能に前記アーム部を駆動する駆動機構（例えば、後述の駆動機構９０）を備える便器装置（例えば、後述の尿センサ付便器装置１）に関する。
【発明の効果】
【００１２】
本発明によれば、尿センサを効率よく洗浄することができる尿センサユニット及び便器装置を提供することができる。
【図面の簡単な説明】
【００１３】
【図１】本発明の第１実施形態の尿センサユニットを備える尿センサ付き便器装置を示す斜視図である。
【図２】洗浄位置に位置する尿センサユニットを示す平面図である。
【図３】測定位置に位置する尿センサユニットを示す平面図である。
【図４】尿センサユニットを上面側から視た斜視図である。
【図５】尿センサユニットを先端側から視た斜視図である。
【図６】尿センサユニットの断面斜視図である。
【図７】待機位置に位置する尿センサユニットを示す側面斜視図である。
【図８】洗浄位置に位置する尿センサユニットを示す側面斜視図である。
【図９】測定位置に位置する尿センサユニットを示す側面斜視図である。
【図１０】第２実施形態の尿センサユニットを示す斜視図である。
【発明を実施するための形態】
【００１４】
以下、本発明の尿センサユニットを備える尿センサ付き便器装置１（便器装置）の第１実施形態について、図面を参照しながら説明する。以下の説明においては、尿センサ付き便器装置１の便座１２に座った人から視た場合の前後の向きを、前後方向とする。
【００１５】
図１は、本発明の第１実施形態の尿センサユニット２０を備える尿センサ付き便器装置１を示す斜視図である。図２は、洗浄位置に位置する尿センサユニット２０を示す平面図である。図３は、測定位置に位置する尿センサユニット２０を示す平面図である。図４は、尿センサユニット２０を上面側から視た斜視図である。図５は、尿センサユニット２０を先端側から視た斜視図である。図６は、尿センサユニット２０の断面斜視図である。図７は、待機位置に位置する尿センサユニット２０を示す側面斜視図である。図８は、洗浄位置に位置する尿センサユニット２０を示す側面斜視図である。図９は、測定位置に位置する尿センサユニット２０を示す側面斜視図である。
【００１６】
第１実施形態の尿センサ付き便器装置１は、図１に示すように、便器１０と、尿センサユニット２０と、を備える。
【００１７】
便器１０は、便器本体１１と、便座１２と、便蓋１３と、を備える。便器本体１１は、便鉢１８を有する。便座１２及び便蓋１３は、便器本体１１の上部に便器本体１１に対して開閉可能に取り付けられる。
【００１８】
尿センサユニット２０は、尿センサ付き便器装置１を使用する測定対象者の尿中の特定成分を測定するための検出手段である。尿センサユニット２０は、分析装置（図示せず）に電気的に接続されており、分析装置で尿成分の分析が行われる。以下、尿センサユニット２０の詳細な構成について説明する。
【００１９】
図２〜図６に示すように、尿センサユニット２０は、尿センサ３０と、アーム部４０と、センサ支持部５１と、センサ基板５２と、ケーブル５５と、尿センサ３０を洗浄する洗浄機構６０と、延在支持部７５と、駆動機構９０と、を備える。
【００２０】
尿センサユニット２０は、図２及び図３に示すように、駆動機構９０（図２及び図３参照）によって、尿センサ３０を待機させる待機位置（図２及び図３における破線の位置）と、尿センサ３０を洗浄する洗浄位置（図２における実線の位置）と、尿センサ３０により尿中の成分を検知する測定位置（図３における実線の位置）と、の間で移動可能である。尿センサユニット２０の待機位置、洗浄位置及び測定位置の詳細については後述する。
【００２１】
尿センサ３０は、尿中の成分を検知するセンサ部分であり、センサ支持部５１を介して、図４に示すように、アーム部４０によって支持されている。尿センサ３０は、２つの電極３１，３１を有する。２つの電極３１，３１は、細長の板状に成形されている。２つの電極３１，３１は、平行に並んで形成され、センサ支持部５１から突出するように、センサ支持部５１に支持される。２つの電極３１，３１は、例えば、それぞれ、異なるイオンを測定対象とするイオン選択膜を有して構成される。
【００２２】
センサ支持部５１は、図４〜図６に示すように、尿センサ３０の２つの電極３１，３１を支持する。本実施形態においては、センサ支持部５１は、図６に示すように、円柱状の支持部本体５１１と、支持部本体５１１よりも径が小さい円柱状に構成される接続部５１２と、を有する。本実施形態では、センサ支持部５１は、樹脂製であり、支持部本体５１１及び接続部５１２が軸方向に並んで一体的に形成されて構成される。
【００２３】
支持部本体５１１は、図４〜図６に示すように、上面から円弧状に窪む支持部凹溝５１１ａを有する。支持部凹溝５１１ａは、尿センサ３０の電極３１が延びる方向に沿って延びると共に尿センサ３０側に向かうに従って幅が広くなるように形成される。接続部５１２の外面には、アーム部４０が着脱可能に取り付けられる。センサ支持部５１の接続部５１２においてアーム部４０を着脱することで、尿センサ３０は、アーム部４０に対して、着脱可能である。
【００２４】
アーム部４０は、図６に示すように、センサ支持部５１を介して、尿センサ３０を支持する。アーム部４０は、基端４０ａ側から先端４０ｂ側に延びるように構成される。アーム部４０は、略円筒状に形成され、弓型に湾曲して延びる。
【００２５】
アーム部４０は、図２、図３、図７〜図９に示すように、尿センサユニット２０が待機位置（図７、図２及び図３における破線の位置）、洗浄位置（図８、図２の実線の位置）及び測定位置（図９、図３の実線の位置）に位置する場合において、基端４０ａ側から先端４０ｂ側に徐々に下るように形成される。アーム部４０は、その基端４０ａ側が便座１２の下方に配置される便器本体１１に取り付けられる。アーム部４０の先端４０ｂ側には、センサ支持部５１を介して、尿センサ３０が取り付けられている。
【００２６】
アーム部４０は、樹脂製である。アーム部４０の表面は、親水性を有する。アーム部４０の表面が親水性を有する構成としては、アーム部４０を親水性を有する材料（例えば、アクリル）で形成してもよいし、アーム部４０の表面に、親水性のコーティングなどの処理を施してもよい。アーム部４０の表面が親水性を有することで、アーム部４０の表面に供給された洗浄水は、アーム部４０の表面に薄く広がり、少量の洗浄水でも、アーム部４０の表面の全体を流れて、アーム部４０の表面の全体を洗いやすくなる。
【００２７】
アーム部４０は、図４に示すように、主導水部４１を有する。主導水部４１は、アーム部４０の上面において、アーム部４０の上面から円弧状に窪む溝状に形成される。主導水部４１は、アーム部４０の上面をアーム部４０が延びる方向に沿って延びる。詳細には、主導水部４１は、アーム部４０の上面の基端４０ａ側から先端４０ｂ側まで延びている。主導水部４１は、センサ支持部５１の支持部凹溝５１１ａの延長線上に延びている。
【００２８】
主導水部４１は、図７〜図９に示すように、尿センサユニット２０が待機位置（図７、図２及び図３における破線の位置）、洗浄位置（図８、図２の実線の位置）及び測定位置（図９、図３の実線の位置）に位置する場合において、アーム部４０の上面において、アーム部４０の基端４０ａ側から先端４０ｂ側に徐々に下るように形成される。主導水部４１は、アーム部４０の基端４０ａ側から先端４０ｂ側に徐々に下るように形成されることで、アーム部４０の上面に供給された水を、アーム部４０の先端４０ｂ側に導く。
【００２９】
アーム部４０の内部には、図６に示すように、尿センサ３０と分析装置（図示せず）とを電気的に接続するために、センサ基板５２、ケーブル５５等が収容されている。センサ基板５２は、一端側がセンサ支持部５１に取り付けられた状態で尿センサ３０の２つの電極３１，３１に接続されると共に、他端側にケーブル５５が実装されている。ケーブル５５は、一端側にセンサ基板５２が取り付けられると共に、他端側に分析装置（図示せず）に接続される。ケーブル５５は、便器本体１１の内部を通るように配線されており、分析装置（図示せず）に接続されている。尿センサ３０により検知された尿中の成分の検知信号は、センサ基板５２及びケーブル５５を介して、分析装置（図示せず）に送られる。
【００３０】
洗浄機構６０は、尿センサ３０を洗浄する機構である。洗浄機構６０は、図４〜図６に示すように、筒状供給管７０と、給水Ｌ字管８０と、を有する。また、洗浄機構６０は、第１流出部としての上部流出部６１と、第２流出部としての２つの側部流出部６２，６２と、第２流出部としての底部流出部６３と、を有する。
【００３１】
筒状供給管７０は、アーム部４０の基端４０ａ側に配置される。筒状供給管７０は、筒部７１と、先端側蓋部７２と、基端側蓋部７３と、を有する。
筒部７１は、図４〜図６に示すように、アーム部４０と略同心円の円筒状に形成され、アーム部４０の基端４０ａ側において、アーム部４０の外周面を周方向に覆うように、アーム部４０の外側に離間して配置される。筒部７１及びアーム部４０は、図６に示すように、アーム部４０の基端４０ａ側において、同心円状の二重筒で構成されている。
【００３２】
先端側蓋部７２は、図４〜図６に示すように、円環状の板材で形成され、筒部７１とアーム部４０との径方向の隙間を筒部７１の先端で塞ぐように、筒部７１の先端において、筒部７１からアーム部４０まで径方向に延びる。先端側蓋部７２は、その内周縁において２つの第１切り欠き円弧部７２ａ，７２ａと、１つの第２切り欠き円弧部７２ｂと、を有する。第１切り欠き円弧部７２ａ，７２ａ及び第２切り欠き円弧部７２ｂは、先端側蓋部７２の内周縁から円弧状に切り欠くように窪むと共に、筒部７１の軸方向に貫通し、筒部７１の内部と外部を連通する。
【００３３】
２つの第１切り欠き円弧部７２ａ，７２ａは、図５に示すように、先端側蓋部７２の内周縁の最上部を挟んだ両側において最上部からそれぞれ周方向にずれた上方側の位置に形成されている。
１つの第２切り欠き円弧部７２ｂは、図５に示すように、先端側蓋部７２の内周縁の最下部の近傍の位置に形成されている。
【００３４】
基端側蓋部７３は、図４〜図６に示すように、円環状の板材で形成され、筒部７１とアーム部４０との径方向の隙間を筒部７１の基端で塞ぐように、筒部７１の基端において、筒部７１からアーム部４０まで径方向に延びる。
【００３５】
給水Ｌ字管８０は、図４及び図５に示すように、略Ｌ字状に屈曲した管状に形成される。給水Ｌ字管８０の一端は、筒状供給管７０におけるアーム部４０の基端４０ａ側の側部に接続される。給水Ｌ字管８０の他端には、洗浄水が流通される給水ホース１０１が接続される。給水ホース１０１への洗浄水の供給は、給水ホース１０１の途中に設けられる電磁弁（図示せず）が開閉されることで制御される。給水Ｌ字管８０は、給水ホース１０１から供給された洗浄水を、筒状供給管７０とアーム部４０との径方向の隙間に供給する。
【００３６】
上部流出部６１、２つの側部流出部６２，６２及び底部流出部６３は、アーム部４０の基端４０ａ側における筒状供給管７０の先端に配置される。上部流出部６１、２つの側部流出部６２，６２及び底部流出部６３は、筒状供給管７０に給水Ｌ字管８０により供給された洗浄水を、筒状供給管７０の先端において、アーム部４０の基端４０ａ側から先端４０ｂ側に向かうように流出する。
【００３７】
上部流出部６１は、図４及び図５に示すように、アーム部４０の基端４０ａ側における筒状供給管７０の先端において、アーム部４０の上部に形成される。上部流出部６１は、筒状供給管７０の先端側蓋部７２の内周面とアーム部４０の主導水部４１の窪みとの間の隙間により構成される。上部流出部６１は、給水Ｌ字管８０により筒状供給管７０とアーム部４０との隙間に供給された洗浄水を、筒状供給管７０の先端において、アーム部４０の基端４０ａ側から先端４０ｂ側に向かうようにアーム部４０の主導水部４１に流出する。
【００３８】
２つの側部流出部６２，６２は、図４及び図５に示すように、アーム部４０の基端４０ａ側における筒状供給管７０の先端において、アーム部４０の周方向において、上部流出部６１を挟んで両側の上方側の側部に設けられる。２つの側部流出部６２，６２は、切り欠き円弧部７２ａ，７２ａの内面とアーム部４０の側部の外周面との間の隙間により構成される。２つの側部流出部６２，６２は、給水Ｌ字管８０により筒状供給管７０とアーム部４０との隙間に供給された洗浄水を、筒状供給管７０の先端において、アーム部４０の側面に流出する。
【００３９】
底部流出部６３は、図５に示すように、アーム部４０の基端４０ａ側における筒状供給管７０の先端において、アーム部４０の底部に設けられる。底部流出部６３は、切り欠き円弧部７２ｂの内面とアーム部４０の底部における外周面との隙間により構成される。底部流出部６３は、給水Ｌ字管８０により筒状供給管７０とアーム部４０との隙間に供給された洗浄水を、アーム部４０の底面に流出する。
【００４０】
延在支持部７５は、図４に示すように、筒状供給管７０の基端部を支持する。延在支持部７５は、図７〜図９に示すように、駆動機構９０に接続されている。
【００４１】
駆動機構９０は、図７〜図９に示すように、駆動モータ９１と、駆動軸Ｊを有する回動部材９２と、を備える。駆動機構９０は、便器本体１１に取り付けられる。
【００４２】
駆動モータ９１には、延在支持部７５及び回動部材９２を介して、アーム部４０の基端４０ａ側が接続されている。駆動モータ９１は、回動部材９２を駆動軸Ｊを中心に回動させることで、アーム部４０を、駆動軸Ｊを中心に回動させる。駆動モータ９１によって、アーム部４０は、その基端４０ａ側において駆動軸Ｊを回動中心として回動し、先端４０ｂ側に支持される尿センサ３０を移動させる。
【００４３】
駆動軸Ｊは、図７〜図９に示すように、直線状に延び、垂直方向に対して上方側が便器１０の後方側に位置するように僅かに傾いている。本実施形態においては、尿センサユニット２０が、待機位置（図２及び図３における破線の位置、図７）、洗浄位置（図２の実線の位置、図８）及び測定位置（図３の実線の位置、図９）のいずれの位置においても、アーム部４０の主導水部４１は、上方を向いて形成されている。アーム部４０の主導水部４１は、駆動モータ９１によりアーム部４０が駆動軸Ｊを中心に回動することで、アーム部４０の傾きに応じて、ほぼ真上を向いた状態や、僅かに傾いて斜め上方を向いた状態に変化する。
【００４４】
以上のように構成される駆動機構９０は、駆動モータ９１によって、尿センサ３０が駆動軸Ｊを中心に回動することで、尿センサユニット２０は、尿センサ３０を待機させる待機位置（図２及び図３における破線の位置、図７参照）と、尿センサ３０を洗浄する洗浄位置（図２の実線の位置及び図８参照）と、尿センサ３０により尿中の成分を検知する測定位置（図３の実線の位置及び図９参照）と、の間で移動可能である。アーム部４０が駆動モータ９１によって駆動軸Ｊを中心として回動することにより、尿センサ３０は、待機位置と洗浄位置と測定位置の間を移動する。
【００４５】
尿センサユニット２０の待機位置は、図２及び図３に示すように、平面視において、閉じた状態の便座１２に尿センサ３０が重って隠れる状態となる破線で示す位置である。本実施形態においては、待機位置は、図７に示すように、アーム部４０の主導水部４１における溝状に延びる部分の略全域が、尿センサ付便器装置１の便鉢１８の内側の後方側に僅かに傾いて後方側の斜め上方を向いた位置である。
【００４６】
尿センサユニット２０の洗浄位置は、図２に示すように、平面視において、閉じた状態の便座１２に尿センサ３０が重ならずに、尿センサ３０が便鉢１８の上方に位置する位置である。洗浄位置は、待機位置から尿センサ３０が駆動軸Ｊを中心として回動して、尿センサ３０が便鉢１８の後方側に移動した位置である。この洗浄位置は、アーム部４０の基端４０ａ側から流出される洗浄水により、尿センサ３０を洗浄する位置である。本実施形態においては、洗浄位置は、図８及び図２に示すように、アーム部４０の主導水部４１における溝状に延びる部分の略全域が、ほぼ真上を向いた位置である。
【００４７】
尿センサユニット２０の測定位置は、図３に示すように、平面視において、閉じた状態の便座１２に尿センサ３０が重ならずに、尿センサ３０が便鉢１８の上方に位置する位置である。測定位置は、待機位置から尿センサ３０が駆動軸Ｊを中心として回動して、尿センサ３０が便鉢１８の後方側に移動した位置であって、洗浄位置よりも便鉢１８の前方側の位置である。この測定位置は、測定対象者が排尿する尿の軌道に尿センサ３０が重なるように、その位置が設定されている。本実施形態においては、測定位置は、図９及び図３に示すように、アーム部４０の主導水部４１における溝状に延びる部分の略全域が、尿センサ付便器装置１の便鉢１８の内側の後方側に僅かに傾いて後方側の斜め上方を向いた位置である。
【００４８】
本実施形態の駆動モータ９１は、操作ユニット（図示せず）に電気的に接続されている。駆動モータ９１は、操作ユニット（図示せず）からの指示信号に基づいてアーム部４０を回動させて、尿センサ３０を、待機位置、洗浄位置又は測定位置に移動させる。
【００４９】
次に、本実施形態の尿センサ付き便器装置１を使用して、測定対象者の尿中の特定成分を測定する方法について説明する。
測定対象者は、尿センサ付き便器装置１の便座１２に座った状態で、操作ユニット（図示せず）を介して尿センサユニット２０による尿中の成分の測定の動作を開始させる。
【００５０】
尿センサ付き便器装置１は、尿センサ３０により尿中の成分を検知する測定動作を実行する前に、尿センサ３０及びアーム部４０の洗浄動作を実行する。そのため、まず、尿センサ３０を、駆動モータ９１の駆動により、図２に示すように、待機位置（図２における破線の位置）から洗浄位置（図２における実線の位置）に移動させる。本実施形態では、洗浄位置は、図８及び図２に示すように、アーム部４０の主導水部４１における溝状に延びる部分の略全域が、ほぼ真上を向いた位置である。給水Ｌ字管８０により供給された洗浄水は、洗浄機構６０の上部流出部６１、側部流出部６２，６２及び底部流出部６３から流出される。
【００５１】
これにより、洗浄位置において、洗浄機構６０によりアーム部４０の基端４０ａ側から先端４０ｂに向けて洗浄水が流出されることで、上部流出部６１から流出された洗浄水を主導水部４１により尿センサ３０まで導いて尿センサ３０を洗浄すると共に、主導水部４１から溢れた洗浄水がアーム部４０の周面に流れてアーム部４０の周面を洗浄することができる。また、側部流出部６２，６２及び底部流出部６３から洗浄水が流出されることで、洗浄水がアーム部４０の周面に流れて、アーム部４０の側面及び底面を洗浄でき、アーム部４０の周面の全体を洗浄することができる。よって、尿センサ３０を洗浄する洗浄水の量や洗浄時間を少なくすることができ、尿センサ３０及びアーム部４０を効率よく洗浄できる。
【００５２】
次に、尿センサ付便器装置１は、尿センサ３０により尿中の成分を検知する測定動作を実行する。尿センサ３０は、駆動モータ９１の駆動により、洗浄位置（図２参照）から測定位置（図３参照）に移動する。本実施形態では、測定位置は、図９及び図３に示すように、アーム部４０の主導水部４１における溝状に延びる部分の略全域が、尿センサ付便器装置１の便鉢１８の内側の後方側に僅かに傾いて斜め上方を向いた位置である。
【００５３】
続けて、測定対象者は、測定位置に尿センサ３０が位置した状態で、排尿を行う。上述したように、尿センサ３０は、測定位置において、測定対象者が排尿する尿の軌道に重なる位置に配置されている。
【００５４】
従来より、尿センサ３０は、尿の軌道に重なる位置に配置されている。ここで、従来、尿センサ３０は限定された位置に配置されるため、尿の軌道がずれて尿センサ３０に尿が接触しない場合には、尿センサ３０において尿の成分を検知することができない場合があった。そこで、本発明では、尿センサ３０が取り付けられるアーム部４０の上面に、主導水部４１を形成した。これにより、本発明によれば、尿センサ３０に尿が直接接触することに加えて、アーム部４０の上面に尿が供給された場合に、アーム部４０の上面に供給された尿は、主導水部４１により、アーム部４０の基端４０ａ側から先端４０ｂ側に移動され、尿センサ３０に導かれる。このため、尿が尿センサ３０に直接接触することに加えて、アーム部４０の上面に供給された尿を、主導水部４１により、尿センサ３０に導くことができる。従って、尿中の成分を効率よく検知することができる。
【００５５】
このように、尿が尿センサ３０に直接接触すると共に、尿がアーム部４０の主導水部４１により尿センサ３０に導かれて尿センサ３０に接触することで、尿中の成分は、尿センサ３０における２つの電極３１，３１により電位が検知される。尿センサ３０により検知された尿中の成分の検知信号は、センサ基板５２及びケーブル５５を介して、分析装置（図示せず）に送られる。これらの電位に基づいて特定成分の濃度が分析装置（図示せず）で判定され、測定対象者の尿中の成分が測定される。
【００５６】
次に、尿センサ３０及びアーム部４０を洗浄するために、駆動モータ９１の駆動により、尿センサ３０は、測定位置（図３参照）から洗浄位置（図２参照）に移動する。そして、洗浄位置において、尿センサ３０及びアーム部４０の洗浄動作が実行される。洗浄位置においては、測定動作の前に実行された前述の洗浄動作と同様の洗浄動作が実行される。測定動作の終了後に洗浄動作を実行することで、尿センサ３０及びアーム部４０を洗浄された状態に保つことができる。
【００５７】
洗浄位置による洗浄動作を実行した後、尿センサユニット２０は、駆動モータ９１の駆動により、図２に示すように、洗浄位置（図２に示す実線の位置）から待機位置（図２における破線の位置）に移動して、待機位置において、次に尿中の成分を測定する場合に備えて待機する。
【００５８】
以上、説明した本実施形態の尿センサユニット２０によれば、以下のような効果を奏する。
本実施形態の尿センサユニット２０は、尿中の成分を検知する尿センサ３０と、先端４０ｂ側に尿センサ３０が取り付けられるアーム部４０と、尿センサ３０を洗浄する洗浄機構６０と、を備える尿センサユニット２０であって、アーム部４０は、アーム部４０の上面に供給された水を、アーム部４０の先端４０ｂ側に導く主導水部４１を有する。
【００５９】
そのため、アーム部４０の上面に供給された洗浄水を、主導水部４１により尿センサ３０まで導いて尿センサ３０を洗浄すると共に、主導水部４１から溢れた洗浄水がアーム部４０の周面に流れてアーム部４０の周面を洗浄することができる。これにより、尿センサ３０を洗浄する洗浄水の量や洗浄時間を少なくすることができ、アーム部４０及び尿センサ３０を効率よく洗浄することができる。
また、アーム部４０の上面に供給された尿は、主導水部４１により、アーム部４０の基端４０ａ側から先端４０ｂ側に移動され、尿センサ３０に導かれる。これにより、アーム部４０の上面に供給された尿を、主導水部４１により、尿センサ３０に導くことで、尿中の成分を効率よく検知することができる。
【００６０】
また、本実施形態の尿センサユニット２０においては、洗浄機構６０は、アーム部４０の基端４０ａ側に配置されアーム部４０の基端４０ａ側から先端４０ｂ側に向かうようにアーム部４０の主導水部４１に洗浄水を流出させる上部流出部６１を有する。これにより、上部流出部６１から流出された洗浄水を、アーム部４０の上面の主導水部４１において、アーム部４０の基端４０ａ側から先端４０ｂ側まで洗浄水を移動させることができる。従って、上部流出部６１から流出された洗浄水が主導水部４１により尿センサ３０まで導かれて尿センサ３０を洗浄することができ、上部流出部６１から主導水部４１に流出されて主導水部４１から溢れた洗浄水がアーム部４０の周面に流れてアーム部４０の周面を洗浄することができる。これにより、アーム部４０及び尿センサ３０を一層効率よく洗浄することができる。
【００６１】
また、本実施形態の尿センサユニット２０においては、洗浄機構６０は、アーム部４０の基端４０ａ側に配置されアーム部４０の側面に洗浄水を流出させる側部流出部６２，６２と、アーム部４０の基端４０ａ側に配置されアーム部４０の底面に洗浄水を流出させる底部流出部６３と、を有する。そのため、アーム部４０の上面だけでなく、アーム部４０の側面及び底面を洗浄水で洗浄することができる。これにより、アーム部４０の周面の全体を洗浄できる。
【００６２】
また、本実施形態の尿センサユニット２０においては、アーム部４０は、樹脂製であり、アーム部４０の表面は、親水性を有する。そのため、アーム部４０の表面に供給された洗浄水は、アーム部４０の表面に薄く広がり、少量の洗浄水でも、アーム部４０の表面の全体を流れて、アーム部４０の表面の全体を洗いやすくなる。これにより、アーム部４０の表面を良好に洗浄することができる。
【００６３】
次に、本発明の第２実施形態に係る尿センサユニット２０Ａについて説明する。図１０は、第２実施形態の尿センサユニット２０Ａを示す斜視図である。第２実施形態に係る尿センサユニット２０Ａは、第１実施形態に係る尿センサユニット２０と比べて、アーム部４０Ａに複数の分岐導水部４２を有する点において、第１実施形態のアーム部４０と異なる。第２実施形態の説明にあたっては、第１実施形態の構成と同一の構成については同一符号を付し、その説明を省略もしくは簡略化する。
【００６４】
第２実施形態の尿センサユニット２０Ａのアーム部４０Ａは、図１０に示すように、第１実施形態と同様の主導水部４１に加えて、複数の分岐導水部４２を有する。複数の分岐導水部４２は、円弧状に窪んだ溝状に形成され、主導水部４１から分岐して延びる。複数の分岐導水部４２は、主導水部４１におけるアーム部４０Ａの基端４０ａ側から先端４０ｂ側に向かうに従って、主導水部４１を中心として両側に互い違いに主導水部４１から分岐して、アーム部４０Ａの周方向に沿って延びる。複数の分岐導水部４２は、主導水部４１から、アーム部４０Ａの基端４０ａ側から先端４０ｂ側に向かうに従って主導水部４１から離れるように、主導水部４１に対して傾斜して延びる。複数の分岐導水部４２は、主導水部４１から分岐して、アーム部４０Ａの周方向における主導水部４１の反対側に向けて、アーム部４０Ａの周面に沿って湾曲して延びている。
【００６５】
第２実施形態の尿センサユニット２０Ａによれば、第１実施形態の尿センサユニット２０と同様の効果を奏する。
また、本実施形態の尿センサユニット２０Ａのアーム部４０Ａは、主導水部４１から分岐してアーム部４０Ａの周方向に延びる複数の分岐導水部４２を有する。そのため、主導水部４１を流れる水は、分岐導水部４２により分岐して、アーム部４０Ａの周方向に沿って周面を流れる。これにより、アーム部４０Ａの周面をより洗浄することができる。よって、アーム部４０Ａの全体をより一層効果的に洗浄することができる。
【００６６】
以上、本発明の尿センサ付き便器装置１の好ましい一実施形態について説明したが、本発明は、上述した実施形態に制限されるものではなく、適宜変更が可能である。
例えば、上記実施形態では、主導水部４１及び分岐導水部４２を溝状に形成したが、これに限定されない。例えば、主導水部又は分岐導水部を、複数の凹凸で構成した導水路により水を導くように構成してもよい。
【００６７】
上記実施形態では、主導水部４１及び分岐導水部４２を円弧状に窪む溝状に形成したが、これに限定されず、主導水部４１及び分岐導水部４２を、例えば、断面が方形形状や三角形状に窪む溝状に形成してもよい。
【００６８】
上記実施形態では、主導水部４１を１つ設ける構成としたが、これに限定されない。主導水部４１を複数設ける構成としてもよい。
【００６９】
上記第２実施形態では、分岐導水部４２を複数設ける構成としたが、これに限定されず、１つ設ける構成としてもよい。
【００７０】
上記実施形態では、洗浄機構６０について、アーム部４０の側面に洗浄水を流出する側部流出部６２と、アーム部４０の底面に洗浄水を流出する底部流出部６３と、の両方を設ける構成としたが、これに限定されない。側部流出部６２又は底部流出部６３のいずれか一方を設ける構成としてもよいし、いずれも設けない構成としてもよい。
【００７１】
上記実施形態では、尿センサユニット２０は便器１０に取り付けられる構成であるが、便器に取り付ける構成の他にも本発明を適用できる。例えば、尿センサユニットが把持部を備え、測定対象者が把持部を持って自ら尿を検知するような構成とすることもできる。
【符号の説明】
【００７２】
１  尿センサ付便器装置（便器装置）
１１  便器本体
１２  便座
１３  便器
２０、２０Ａ  尿センサユニット
３０  尿センサ
４０、４０Ａ  アーム部
４０ａ  基端
４０ｂ  先端
４１  主導水部
４２  分岐導水部
６０  洗浄機構
６１  上部流出部（第１流出部）
６２  側部流出部（第２流出部）
６３  底部流出部（第２流出部）
９０  駆動機構
【図１】
0006649154.tif 000002
【図２】
0006649154.tif 000003
【図３】
0006649154.tif 000004
【図４】
0006649154.tif 000005
【図５】
0006649154.tif 000006
【図６】
0006649154.tif 000007
【図７】
0006649154.tif 000008
【図８】
0006649154.tif 000009
【図９】
0006649154.tif 000010
【図１０】
0006649154.tif 000011